(57)【要約】【課題】  複数のパネルを連結して構成されるローパーティションのパネル縦桟であって、縦桟の側面キャップと上端キャップとの間に隙間を発生しないようにしたパネル縦桟の提供。【解決手段】  パネル１は金属製の両縦桟３，３と複数の横桟４，４・・にて枠組みした枠体にボード５，５・・を嵌めたもので、縦桟３の側面開口には樹脂製の側面キャップ１２を取付けると共にキャップ表面１５は縦桟の外側面１６より僅かに内側に後退し、そして縦桟３の上下端には上端キャップ１３と下端キャップを取付け、側面キャップ１２は縦桟３より僅かに長くして縦桟３から突出した突出部１４を上端キャップ１３及び下端キャップに形成した溝２４に嵌めている。【選択図】    図５
2005314916.tif 000002
【特許請求の範囲】
【請求項１】
複数のパネルを連結して構成されるローパーティションのパネル縦桟において、パネルは金属製の両縦桟と複数の横桟にて枠組みした枠体にボードを嵌めたもので、縦桟の側面開口には樹脂製の側面キャップを取付けると共にキャップ表面は縦桟の外側面より僅かに内側に後退し、そして縦桟の上下端には上端キャップと下端キャップを取付け、側面キャップは縦桟より僅かに長くして縦桟から突出した突出部を上端キャップ及び下端キャップに形成した溝に嵌めたことを特徴とするローパーティションのパネル縦桟。
【請求項２】
複数のパネルを連結して構成されるローパーティションのパネル先端側縦桟において、パネルは金属製の両縦桟と複数の横桟にて枠組みした枠体にボードを嵌めたもので、縦桟の側面開口には樹脂製の側面キャップを取付けると共にキャップ表面は縦桟の外側面より僅かに内側に後退し、そして縦桟の上下端には上端キャップと下端キャップを取付け、側面キャップは縦桟より僅かに長くして縦桟から突出した突出部を上端キャップ及び下端キャップに形成した溝に嵌めたことを特徴とするローパーティションのパネル縦桟。
【発明の詳細な説明】
【技術分野】
【０００１】
本発明は組み立てが簡単なローパーティションを構成するパネルの縦桟に関するものである。
【背景技術】
【０００２】
大きな建物空間を仕切る為に間仕切り装置が多用されている。間仕切り装置にもその形態は色々あるが、一般的には床レールに配置されたアジャスターにて適度な高さに支えられた巾木にパネルが載って配置され、パネル上端は天井レールに嵌って固定され、そしてパネル側端は床レールから垂直に起立するスタッドに止着されている。止着方法はネジ止めであったり、又ツメを介して引掛ける構造と成っている。
【０００３】
そして間仕切り装置によって仕切られた部屋空間の中では、私的な小さな空間を作る為のローパーティションが使用される場合が多い。このローパーティションの形態も、使用目的に応じて多種多様化していると共に、その連結構造は複雑化しているために、素人では組み立てることは出来ない。従って、専門の業者が据付作業を行っているのが一般的である。
【０００４】
図６はローパーティションを構成するパネルを示す具体例である。パネル(イ)を表し、両縦桟(ロ)、(ロ)、及び複数の横桟(ハ)、(ハ)・・にて枠組みされた枠体には、ボード(ニ)、(ニ)・・が嵌っている。そして、パネル(イ)の下端両側にはアジャスターネジ(ホ)、(ホ)が取付けられ、該アジャスターネジ(ホ)、(ホ)を調整することでパネル(イ)の高さ調整が可能である。
【０００５】
ところで、上記縦桟(ロ)は横桟(ハ)と連結する為に、一体物でなく側面キャップ(ヘ)が取付けられている。すなわち、縦桟(ロ)は概略コ形断面を成している為に先端を突き合わせた横桟(ハ)とネジ止めし、ネジ止め後に縦桟の側面開口をカバーする為に側面キャップ(ヘ)が取付けられている。そして、縦桟(ニ)の上端には上端キャップ(ト)が取付けられ、下端には下端キャップ(チ)が取着されている。
【０００６】
図７は図１に示すパネル(イ)の上端コーナーを示す拡大図であり、縦桟(ロ)には側面キャップ(ヘ)が取付けられ、縦桟(ロ)の上端には上端キャップ(ト)が取着されている。ところが、同図に示すように側面キャップ(ヘ)と上端キャップ(ト)の間には隙間(リ)が発生する。これは、アルミ製の縦桟(ロ)と樹脂製の側面キャップ(ヘ)の熱変形の違いに基づくもので、長さ１８００ｍｍに対して１０℃の温度変化があれば、２〜３ｍｍの隙間が発生する。
【０００７】
逆に、縦桟(ロ)の上端に取付けた上端キャップ(ト)を押上げる場合もあり、該上端キャップ(ト)と縦桟(ト)との間に隙間が発生する。このように、温度変化に応じて隙間(リ)が発生することで、ローパーティションの外観が損なわれてしまう。勿論、側面キャップ(ヘ)が縦桟(ロ)と同一材質であれば、このような隙間の発生はないが、コスト高になる。
【発明の開示】
【発明が解決しようとする課題】
【０００８】
従来のローパーティションの形態は色々あるが、縦桟に隙間が発生するのでは外観が損なわれる。本発明が解決しようとする課題はこの問題点であり、温度の変化があっても上端キャップとの間に上記隙間を生じないローパーティションを構成するパネル縦桟を提供する。
【課題を解決するための手段】
【０００９】
本発明に係るローパーティションのパネルは、両縦桟と横桟とで枠組みされ、樹脂パネル、ガラスパネルなどのボードが嵌っている。ここで、該縦桟と横桟はネジ止めされて枠体を構成するが、横桟の先端が縦桟内側面に突き合わされた状態でネジ止め出来るように、縦桟は概略コ形断面を成して側面は開口している。そして、この開口を塞ぐ為に組付け後に側面キャップが取付けられる。このような構造は前記図６に示した従来のパネルと同じ構造で構成される。
【００１０】
そして、縦桟に取付ける側面キャップは該縦桟より僅かに長く、縦桟の上端及び下端から突出した部分は、上端キャップ及び下端キャップに形成した溝に嵌入される。この突出長さは温度変化によって収縮する範囲であり、キャップに形成した溝に嵌っていることで、隙間が発生することはなく、又上端キャップ及び下端キャップが持ち上げられることはない。
【発明の効果】
【００１１】
本発明に係るローパーティションのパネル縦桟は、側面開口に側面キャップを取付けているが、側面キャップの上端及び下端は縦桟から突出し、この突出部は縦桟の上端に取付けられた上端キャップ、及び下端に取付けられた下端キャップに形成した溝に嵌る。従って、温度の変化で上端キャップ及び下端キャップとの間に隙間が発生することはなく、逆に上端キャップ及び下端キャップが持ち上げられることもない。すなわち、温度変化によってローパーティションの外観が損なわれない。又、側面キャップの長さ寸法精度が正確でなくても、上下端キャップの溝に上下端が嵌る為に何ら問題はない。
【実施例】
【００１２】
図１は本発明に係るローパーティションを示す実施例である。(ａ)は４枚のパネル１ａ，１ｂ・・を連結してＬ型形状を成し、(ｂ)は２枚のパネル１ａ，１ｂは直線上に連結している。そして、該ローパーティションは両側パネルの先端にはブラケット２，２・・が取付けられて、転倒しないように支持され、各パネル１ａ，１ｂ・・の下端にはアジャスターネジが備わって適度な高さと成っている。
【００１３】
ローパーティションの形態は同図に示すようなＬ型、直線型に限らず、Ｔ型、十字型等を形成することが出来る。パネル１は両縦桟３，３、及び複数の横桟４，４・・にて枠組みされた枠体には、ボード５，５・・が嵌っている。ここで、該ボード５の材質は特に限定せず、又該ボードの取付け構造も自由である。例えば、ボードとして透明又は半透明なポリカーボネートを使用することが出来る。そして、パネル１の下端両側にはアジャスターネジが取付けられ、該アジャスターネジを調整することでパネル１の高さ調整が可能である。
【００１４】
パネル１ａ，１ｂ、及びパネル１ｃ，１ｄは直線状に連結され、パネル１ｂ，１ｃはＬ型を成して連結している。本発明はこれらパネル１ａ，１ｂ，１ｃ，１ｄの連結構造に関して限定はしない。図２はパネル連結構造を示す具体例であり、上記パネル１ａ，１ｂは上連結金具７と下連結金具８にて連結される。上下連結金具７，８は細長い金属製板材であり、その両先端には係止ツメ９，９・・を形成している。そして、横桟４，４・・には溝１０，１０・・が設けられ、パネル上端に配置された上連結金具７及びパネル下端に配置された下連結金具８の係止ツメ９，９・・は溝１０，１０・・に嵌って係止する。
【００１５】
両パネル１ａ，１ｂに跨って配置された上連結金具７はツマミネジ１１，１１を横桟４，４に設けたネジ穴に螺合することで外れないように押えられる。又、下連結金具８は両パネル１ａ，１ｂの下端に跨って配置されると共に、アジャスターネジ６，６が該下連結金具８に形成したネジ穴に螺合してパネル１ａ，１ｂは支えられる。この場合、下連結金具８にも上記ツマミネジ１１，１１を取付けてパネル下端に固定することもある。
【００１６】
図３は本発明に係るパネル縦桟の上端部を示している実施例である。縦桟３の側面は開口し、この開口には側面キャップ１２が取付けられ、縦桟３の上端には上端キャップ１３が取付けられている。そして、本発明では側面キャップ１２と上端キャップ１３との間に隙間が発生しない構造と成っている。
【００１７】
すなわち、側面キャップ１２の長さは縦桟３より僅かに長く成っていて、その上端及び下端は縦桟３の上端及び下端から突出し、点線で示しているこの突出部１４は上端キャップ１３に形成した溝に嵌っている。同じく下端の突出部は下端キャップに形成した溝に嵌っている。そして、側面キャップ１２の表面１５は縦桟３の外側面１６と段差を有して後退している。
【００１８】
図４は縦桟３の外側面１６と側面キャップ１２の表面１５との関係を示す断面図を示している。側面キャップ１２は２本の脚１７，１７を有し、該脚１７，１７の先端に形成しているツメ１８，１８は縦桟３の開口両側に設けている係止片１９，１９に係止して取付けられている。そして、その表面１５は縦桟３の外側面１６との間には寸法ａの段差を有している。
【００１９】
上端キャップ１３は縦桟３とは同一断面を有している為に、上端キャップ１３の下側には上記寸法ａに相当する厚みを残して溝が形成されている。同じく、下端キャップの上側には上記寸法ａに相当する厚みを残して溝が形成されている。この溝に側面キャップ１２の突出部１４が嵌入することが出来、温度変化に基づく収縮によって前記図７に示すような隙間(リ)が発生することはない。
【００２０】
図５(ａ)は上端キャップ１３の下面を示している。外形は縦桟３の断面と同じであり、正面側の両コーナー部には嵌入片２０，２０が設けられ、背面側にはＬ形をした嵌入片２１，２１を有している。これら嵌入片２０，２０，２１，２１は縦桟３の各コーナー部２２，２２，２３，２３に嵌って位置決めされ、該上端キャップ１３が縦桟３の上端に位置ズレすることなく取付けられる。そして、両嵌入片２０，２０の間の側面側には溝２４が形成され、縦桟３の上端から突出した側面キャップ１２の突出部１４が嵌る。
【００２１】
図５(ｂ)は該突出部１４が溝２４に嵌っている場合を示している。ここで、突出部１４の長さは限定しないが、一般には２ｍｍ程度であり、溝２４の深さは３ｍｍ〜４ｍｍ程度としている。従って、側面キャップ１２と上端キャップ１３との間に隙間が発生することはなく、逆に上端キャップ１３は側面キャップにて持ち上げられることもない。
【００２２】
ところで、このようなパネル縦桟構造は、全てのパネル縦桟に適用する必要はなく、前記図２に示す連結部に位置する縦桟の場合には側面が表面化しない為に従来通りで差し支えない。むしろ、樹脂製の側面キャップ１２を縦桟３の外側面１６より僅かに突出させることで、連結に際して側面キャップ１２，１２同士が当接して安定する。すなわち、ローパーティションの自由側端に位置するパネル縦桟に限って適用することも出来る。
【図面の簡単な説明】
【００２３】
【図１】ローパーティションの外観を示す具体例。
【図２】パネルの連結構造。
【図３】パネル縦桟の上端部。
【図４】縦桟と側面キャップの関係。
【図５】(ａ)は溝が形成された上端キャップ、(ｂ)は溝に突出部が嵌っている上端キャップ。
【図６】ローパーティションのパネル。
【図７】従来の縦桟上端部。
【符号の説明】
【００２４】
１  パネル
２  ブラケット
３  縦桟
４  横桟
５  ボード
６  アジャスター
７  上連結金具
８  下連結金具
９  係止ツメ
10  溝
11  ツマミネジ
12  側面キャップ
13  上端キャップ
14  突出部
15  表面
16  外側面
17  脚
18  ツメ
19  係止片
20  嵌入片
21  嵌入片
22  コーナー部
23  コーナー部
24  溝
【図１】
2005314916.tif 000003
【図２】
2005314916.tif 000004
【図３】
2005314916.tif 000005
【図４】
2005314916.tif 000006
【図５】
2005314916.tif 000007
【図６】
2005314916.tif 000008
【図７】
2005314916.tif 000009